(57)【要約】【課題】  クレードルに対し可搬式の表示装置が所定の設置状態に設置されたか否かを検出し、検出結果に基づき正しい設置状態に設置するようにユーザーに対し促し得る表示システムを提供する。【解決手段】  受電・通信部１３が給電・通信部２３からの給電を受けると、受電・通信部１３から給電・通信部２３に対し通信接続を確認するための要求信号を送信し、給電・通信部から接続確認信号が受信されれば表示装置１が所定の設置状態に設置されていると判定する。給電・通信部２３からの接続確認信号が受信されなければ、表示装置１が所定の設置状態に設置されていないと判定し、表示装置１の表示部１１に対し、表示装置が所定の設置状態に設置されていない旨の報知を行う【選択図】      図２
2014168324.tif 000002
【特許請求の範囲】
【請求項１】
表示部及びバッテリを備えた表示装置と、この表示装置を着脱可能に設置することにより前記バッテリに対する充電を行うためのクレードルとを備えた表示システムであって、
前記表示装置及び前記クレードルの内の一方に設けられて、非接触給電による給電及び非接触通信によるデータ送受信を行う給電・通信部と、前記表示装置及び前記クレードルの内の他方に設けられて、前記給電・通信部からの非接触給電を受電し非接触通信によるデータ送受信を行う受電・通信部と、前記クレードルに対し前記表示装置が所定の設置状態に設置されたか否かの設置状態を検出するための設置状態検出処理部を備え、
前記設置状態検出処理部は、
前記受電・通信部が前記給電・通信部からの給電を受けると、前記受電・通信部から前記給電・通信部に対し通信接続を確認するための要求信号を送信し、前記給電・通信部から接続確認信号が受信されれば前記表示装置が所定の設置状態に設置されていると判定する一方、前記給電・通信部からの接続確認信号が受信されなければ前記表示装置が所定の設置状態に設置されていないと判定するように構成されている、
ことを特徴とする表示システム。
【請求項２】
請求項１に記載の表示システムであって、
前記給電・通信部は前記クレードルに設けられる一方、前記受電・通信部は前記表示装置に設けられている、表示システム。
【請求項３】
請求項１又は請求項２に記載の表示システムであって、
前記設置状態検出処理部は、前記表示装置が所定の設置状態に設置されていないと判定されたとき、前記表示装置の表示部に対し、表示装置が所定の設置状態に設置されていない旨の報知を行うように構成されている、表示システム。
【発明の詳細な説明】
【技術分野】
【０００１】
本発明は、可搬式の表示装置と、この表示装置を設置することにより表示装置に対する充電を行うクレードルとからなる表示システムに関し、特に、表示装置がクレードルに対し所定位置に設置されているか否かの設置状態を検出する技術に係る。
【背景技術】
【０００２】
従来、カメラに内蔵された二次電池に対し充電を行う充電器が知られている（例えば特許文献１参照）。この充電器は、カメラを充電器に設置されたことをフォトリフレクタにより検知する一方、そのカメラが充電器に対し正しい充電位置に設置されたか否かを充電器から出没するＰＯＳスイッチにより検知し、その上で充電を開始するようにしている。すなわち、ＰＯＳスイッチが充電器から突出してカメラの三脚用ネジ穴にはまり込んで突出状態になれば、カメラは正しい充電位置にあると検知する一方、没入したままであれば、カメラは正しい充電位置にはないと検知するようになっている。
【先行技術文献】
【特許文献】
【０００３】
【特許文献１】特開２００１−６９３８８号公報
【発明の概要】
【発明が解決しようとする課題】
【０００４】
しかしながら、例えば可搬式の表示装置をクレードルに設置することにより、充電のみならず、データ通信をも行わせる場合には、表示装置がたとえ充電可能な位置に設置されたとしても、その設置状態ではデータ通信不能となってしまうおそれが考えられる。特に非接触の近距離無線通信を採用する場合には、表示装置がクレードルに対し充電のために許容されるずれ範囲内に設置されていれば、充電自体は可能となるものの、近距離無線通信による相互通信が不能になってしまうことが考えられる。図５（ａ）の例の如く表示装置がクレードルに対し多少横ずれした設置状態にあったり、あるいは、図５（ｂ）の例の如く表示装置がクレードルに対し多少斜めになった設置状態にあったりしても、クレードルからの充電のための許容範囲内の位置であれば充電自体は可能になるものの、データの送受信は不能になってしまう場合が考えられる。このような不都合は、充電方式が接点式や、非接触の電磁誘導式のいずれの場合においても、生じ得ると考えられる。従って、表示装置を、クレードルに対し、充電可能な設置状態のみならず、相互のデータ通信も可能な所定の設置状態に置く必要がある。
【０００５】
本発明は、このような事情に鑑みてなされたものであり、その目的とするところは、クレードルに対し可搬式の表示装置が所定の設置状態に設置されたか否かを検出し得る表示システムを提供することにあり、さらに、その検出結果に基づき正しい設置状態に設置するようにユーザーに対し促し得る表示システムを提供する。
【課題を解決するための手段】
【０００６】
上記目的を達成するために、本発明では、表示部及びバッテリを備えた表示装置と、この表示装置を着脱可能に設置することによりバッテリに対する充電を行うためのクレードルとを備えた表示システムを対象にして、次の特定事項を備えることとした。すなわち、表示装置及びクレードルの内の一方に設けられて、非接触給電による給電及び非接触通信によるデータ送受信を行う給電・通信部と、表示装置及びクレードルの内の他方に設けられて、給電・通信部からの非接触給電を受電し非接触通信によるデータ送受信を行う受電・通信部と、クレードルに対し表示装置が所定の設置状態に設置されたか否かの設置状態を検出するための設置状態検出処理部を備えることとする。そして、設置状態検出処理部として、受電・通信部が給電・通信部からの給電を受けると、受電・通信部から給電・通信部に対し通信接続を確認するための要求信号を送信し、給電・通信部から接続確認信号が受信されれば表示装置が所定の設置状態に設置されていると判定する一方、給電・通信部からの接続確認信号が受信されなければ表示装置が所定の設置状態に設置されていないと判定する構成とした（請求項１）。
【０００７】
この発明の場合、設置状態検出処理部による検出処理の実行により、クレードルに対する表示装置の設置状態の適／不適を判定し、相互通信が不能な設置状態不良の発生を検出することが可能となる。すなわち、表示装置をクレードルに設置することで、受電・通信部が給電・通信部からの給電を受け、この給電により受電・通信部から給電・通信部に対し要求信号を送信することにより、給電・通信部からの接続確認信号が受電・通信部で受信されれば、表示装置は相互通信が可能な適正な設置状態にあると判定することが可能となる。一方、給電・通信部からの接続確認信号が受電・通信部で受信されなければ、表示装置は相互通信が可能な適正な設置状態にはないと判定することが可能となる。特に、給電・通信部による給電可能範囲よりも相互通信可能範囲の方が短い場合に、本発明の設置状態検出処理に基づく設置不良の発生検出は有用なものとなる。
【０００８】
本発明の表示システムにおいて、給電・通信部をクレードルに設ける一方、受電・通信部を表示装置に設けることができる（請求項２）。このようにすることにより、給電・通信部から受電・通信部への給電に基づき、表示装置のバッテリへの充電を行わせるように構成することも可能となる。
【０００９】
又、本発明の表示システムにおいて、設置状態検出処理部として、表示装置が所定の設置状態に設置されていないと判定されたとき、表示装置の表示部に対し、表示装置が所定の設置状態に設置されていない旨の報知を行う構成とすることができる（請求項３）。このようにすることにより、ユーザーに対し設置状態が不適正であることを報知して、適正な設置状態に設置し直すように促すことが可能となる。
【発明の効果】
【００１０】
以上、説明したように、本発明の表示システムによれば、設置状態検出処理部による検出処理の実行により、クレードルに対する表示装置の設置状態の適／不適を判定し、相互通信が不能な設置状態不良の発生を検出することができるようになる。すなわち、表示装置をクレードルに設置することで、受電・通信部が給電・通信部からの給電を受け、この給電により受電・通信部から給電・通信部に対し要求信号を送信することにより、給電・通信部からの接続確認信号が受電・通信部で受信されれば、表示装置は相互通信が可能な適正な設置状態にあると判定することができる。一方、給電・通信部からの接続確認信号が受電・通信部で受信されなければ、表示装置は相互通信が可能な適正な設置状態にはないと判定することができる。本発明の設置状態検出処理部に基づく設置不良の発生検出は、給電・通信部による給電可能範囲よりも相互通信可能範囲の方が短い場合に、特に有用なものとなる。
【００１１】
請求項２の表示システムによれば、給電・通信部をクレードルに設ける一方、受電・通信部を表示装置に設けることにより、給電・通信部から受電・通信部への給電に基づき、表示装置のバッテリへの充電を行わせるように構成することができる。
【００１２】
又、請求項３の表示システムによれば、設置状態検出処理部として、表示装置が所定の設置状態に設置されていないと判定されたとき、表示装置の表示部に対し、表示装置が所定の設置状態に設置されていない旨の報知を行う構成とすることにより、ユーザーに対し設置状態が不適正であることを報知して、適正な設置状態に設置し直すように促すことができる。
【図面の簡単な説明】
【００１３】
【図１】本発明の実施形態に係る表示システムを説明するための斜視図である。
【図２】表示システムの内部構成を示すブロック説明図である。
【図３】表示装置側の設置状態の検出処理に係るフローチャートである。
【図４】クレードル側の設置状態の検出処理に係るフローチャートである。
【図５】図５（ａ）はクレードルに対し表示装置が許容範囲以上に横にずれた状態に設置された例を示す斜視図であり、図５（ｂ）はクレードルに対し表示装置が許容範囲以上に斜めにずれた状態に設置された例を示す斜視図である。
【発明を実施するための形態】
【００１４】
以下、本発明の実施形態を図面に基づいて説明する。
【００１５】
図１は、本発明の実施形態に係る表示システムの模式図を示す。この表示システムは、可搬式の表示装置１と、クレードル２とを備えたものである。クレードル２は、表示装置１を載置部２１に設置することにより、表示装置１への充電や、表示装置１との間でデータの相互通信が行われるようになっている。表示装置１としては、画像データを表示するいわゆるフォトフレーム、動画データもしくは楽曲データを再生するプレーヤー、クレードル２から取得した各種データを表示するモニタ（監視モニタ，状態表示モニタ）、あるいは、各種データを表示しつつユーザーの入力指令を無線通信により送信するリモコン等、として構成することが可能である。又、クレードル２は、表示装置１に対する充電機能のみならず、前記の如き画像データ，動画データ、あいるは、各種データを相互に通信する通信機能をも有している。
【００１６】
表示装置１は、図２に示すように、表示部１１、バッテリ１２、受電・通信部１３、制御部１４及び記憶部１５等を備えたものである。又、クレードル２は、電源回路２２、給電・通信部２３及び制御部２４を備えたものである。表示部１１は、ＬＣＤ（液晶ディスプレイ）等により構成することができ、タッチパネル式に構成して入力操作可能に構成することもできる。バッテリ１２は二次電池により構成され、後述の電力伝送を受電・通信部１３を介して受けて充電されるようになっている。なお、充電の際には、後述の自機認識の完了指令を経た上でクレードル２側から充電開始するようにすることができる。給電・通信部２３は受電・通信部１３に対し非接触給電による給電及び非接触通信によるデータ送受信を行うものであり、受電・通信部１３は給電・通信部２３からの非接触給電を受電し非接触通信によるデータ送受信を行うものである。このような受電・通信部１３及び給電・通信部２３は、近距離無線送信（ＮＦＣ：Near Field Communication）方式を利用して構成することができる。すなわち、受電・通信部１３は受電及び送受信のためにコイルアンテナ１３１を備え、給電・通信部２３も給電及び送受信のためのコイルアンテナ２３１を備えている。そして、両コイルアンテナ１３１，２３１間の電磁結合を介して、給電・通信部２３から受電・通信部１３への非接触の電力伝送と、給電・通信部２３と受電・通信部１３との間での相互のデータ通信を行うようになっている。電源回路２２は図外からの電源供給を受けて給電・通信部２３のコイルアンテナ２３１を励磁することで誘導電磁界を発生させることができ、給電・通信部２３はその電力波形にデータ信号を重畳させて送信したり、受電・通信部１３からのデータ信号を受信したりすることができるようになっている。受電・通信部１３のコイルアンテナ１３１は給電・通信部２３のコイルアンテナ２３１からの交流磁界を受けて受電し、受電された電力は制御部１４による充電制御を経てバッテリ１２に充電されるようになっている。
【００１７】
クレードル２側の制御部２４は、表示装置１側から送信される自機認識用のＩＤデータに基づく通信対象の確認や、表示装置１側から送信される接続確認のための要求信号への肯定応答信号（ＡＣＫ信号）の送出のための制御、前記の電源回路２２による充電制御、及び、表示装置１の側への送信データ（例えば外部から入力される表示データ等）を表示装置１側に送信するための給電・通信部２３の通信制御等を行うようになっている。又、表示装置１側の制御部１４は、クレードル２から近接信号を受信（受電）したときに接続確認のための要求信号をクレードル１側に送信して相互通信が可能か否かを確認することにより自機（表示装置１）が所定の設置状態に設置されているか否かの判定を行う設置状態検出処理、バッテリ１２への充電制御、及び、所定の設置状態にある場合に続いてクレードル２から送信される送信データを記憶部１５に記録するための記録制御等を行うようになっている。従って、表示装置１側の制御部１４及びクレードル２側の制御部２４によって、クレードル１に対し表示装置２が所定の設置状態に設置されたか否かの設置状態を検出するための設置状態検出処理部が構成されている。
【００１８】
図３及び図４を参照しつつ、前記の設置状態検出処理について説明する。表示装置１がクレードル２の載置部２１に載置されれば、給電・通信部２３からの誘導電磁界を受けて給電・通信部１３で受電され、受電した電力で給電・通信部１３から制御部１４に対しクレードル２の近接を検出したという近接信号が送出される。制御部１４では、この近接信号を受ければ（ステップＳ１１でＹＥＳ）、自機識別データ（ＩＤコード）にＡＣＫ要求を加えた信号を受電・通信部１３を介してクレードル２側に送信する（ステップＳ１２）。そして、表示装置１が適正な設置状態にあれば、本来は、このＡＣＫ要求信号を受けたクレードル２の給電・通信部２３からはＡＣＫデータが返信されることになるため、表示装置１の受電・通信部１３では給電・通信部２３から送信されるＡＣＫデータの受信を待ち、ＡＣＫデータを受信すれば（ステップＳ１３でＹＥＳ）、表示装置１の設置状態は適正と判定し（ステップＳ１４）、検出処理を終了する。この検出処理の終了に伴い、制御部１４に接続完了信号を送出すると共に、クレードル２の制御部２４にも接続完了信号を送信する。以後、表示装置１の制御部１４では、クレードル２からバッテリ１２への充電制御や、クレードル２からの送信データの受信と記憶部１５への記録制御が実行され、表示部１１への表示制御が実行される。
【００１９】
一方、クレードル２側では、図４に示すように、表示装置１が適正な設置状態にあれば、表示装置１から送信されるデータ通信を給電・通信部２３が受信可能であるため、受電・通信部１３からＩＤコードを伴ったＡＣＫ要求信号を給電・通信部２３が受信すると（ステップＳ２１でＹＥＳ）、ＩＤコードに基づいて表示装置１が通信対象か否かを制御部２４において判定し、通信対象であれば（ステップＳ２２でＹＥＳ）、給電・通信部２３から受電・通信部１３に対しＡＣＫデータを送信する（ステップＳ２４）。ステップＳ２１での受信が無いとき（ステップＳ２１でＮＯ）には、リターンして受信するまで繰り返し、あるいは、ステップＳ２２で通信対象ではないと判定されたときには（ステップＳ２２でＮＯ）、リターンしてＩＤコード及びＡＣＫ要求信号の受信及び通信対象であるか否かの判定を繰り返す（ステップＳ２１，Ｓ２２）。
【００２０】
そして、表示装置１側において、ステップＳ１３（図３参照）のＡＣＫデータの受信を予め設定した待ち時間（例えば１秒間）だけ待っても、受信が無ければ（ステップＳ１５でＹＥＳ）、再送回数Ｋに「１」を加算し（ステップＳ１６）、Ｋが設定再送回数Ｋｓ（例えばＫｓ＝１０）に到達していないことを確認した上で（ステップＳ１７でＮＯ）、ステップＳ１２に戻る。そして、ＩＤデータにＡＣＫ要求を加えた信号をクレードル２側に再度送信し、ＡＣＫデータが受信されるか否かを待ち時間だけ待ち（ステップＳ１５）、受信が無ければ再送回数Ｋにさらに「１」を加算する（ステップＳ１６）。これを再送回数Ｋが設定再送回数Ｋｓに到達するまで繰り返し、設定再送回数Ｋｓだけ繰り返してもＡＣＫデータの受信が無ければ（ステップＳ１７）、給電・通信部２３と受電・通信部１３との間の相互通信は不能である、つまり表示装置１はクレードル２に対し相互通信可能な所定の設置状態にはない（設置状態不良）と判定し、その旨を表示部１１に対し表示する（ステップＳ１８）。表示部１１への表示は、例えば「表示装置を正しい位置に設置し直して下さい。」というように設置し直すようにユーザーに促す。かかる表示制御に加えて、表示装置１の図示省略のスピーカを通して警告音を吹鳴させることもできる。
【００２１】
以上によれば、設置状態検出処理の実行により、クレードル２に対する表示装置１の設置状態の適／不適を判定し、相互通信が不能な設置状態（設置不良）の発生を検出することができ、ユーザーに対し設置状態が不適正であることを報知して、適正な設置状態に設置し直すように促すことができる。このため、設置不良に基づく通信エラーの発生を事前に回避することができ、表示装置１に対しクレードル２から確実に送信データを通信させて、表示装置１に記録させることができる。特に、電磁誘導磁界による給電可能範囲よりも相互通信可能範囲の方が短い場合に、前記の設置状態検出処理に基づく設置不良の発生検出は有用なものとなる。
【００２２】
＜他の実施形態＞
なお、本発明は前記実施形態に限定されるものではなく、その他種々の実施形態を包含するものである。すなわち、前記実施形態では、バッテリ１２への充電を給電・通信部２３から受電・通信部１３への電磁結合による非接触給電によって行うようにしているが、これに限らず、例えば図１に例示するような接点２１１，２１１を介した接点方式に基づいて、クレードル２の電源回路２２から表示装置１のバッテリ１２への充電を可能にすることもできる。この場合には、給電・通信部２３から受電・通信部１３への非接触給電による給電及び受電は、クレードル２と表示装置１との近接を検出するための誘導磁界の生成、及び、受電・通信部１３と給電・通信部２３との間でのＡＣＫ要求信号やＡＣＫデータ信号の相互通信のために、利用されることになる。このような場合にも、表示装置１をクレードル２の載置部２１に対し設置した際のズレの発生によって、給電・通信部２３からの給電を受電・通信部１３で受電することはできるものの、受電・通信部１３と給電・通信部２３との間での相互通信が不能となるという事態の発生を、前記実施形態で説明した設置状態検出処理によって確実に判定することができ、設置不良状態を解消するようにユーザーに対し促すことができるようになる。
【００２３】
又、充電方式が接点方式の場合には、前記実施形態とは逆に、給電・通信部を表示装置１の側に、受電・通信部をクレードル２の側にそれぞれ設けるようにすることができる。この場合には、表示装置１においてバッテリ１２を電源として給電・通信部のコイルアンテナを励磁し、この誘導電磁界をクレードル２の受電・通信部が受けて、クレードル２側からＡＣＫ要求信号を送信し、これを表示装置１側が受信すれば、表示装置１側からＡＣＫデータをクレードル２側に送信するようにすればよい。
【符号の説明】
【００２４】
１        表示装置
２        クレードル
１１      表示部
１２      バッテリ
１３      受電・通信部
１４      制御部（設置状態検出処理部）
２３      給電・通信部
２４      制御部（設置状態検出処理部）
【図１】
2014168324.tif 000003
【図２】
2014168324.tif 000004
【図３】
2014168324.tif 000005
【図４】
2014168324.tif 000006
【図５】
2014168324.tif 000007